(57)【特許請求の範囲】
【請求項１】
登録モード用コードを送信する第一の送信機と、固有のＩＤコードを送信する第二の送信機と、第一の送信機からの信号を受信して、記憶された登録モード用コードと比較識別して一致した場合に、第二の送信機からの信号を受信して、記憶された登録モード用コードを固有のＩＤコードに置換登録する受信機を備えた遠隔制御装置であって、登録モード確認用コードを送信する第三の送信機を備え、上記第一の送信機からの登録モード用コードの送信前に、上記受信機が第三の送信機からの登録モード確認用コードを受信した時、登録モード用コードの記憶を確認して出力部から所定の信号を出力する遠隔制御装置。
【請求項２】
受信機が登録モード用コードの記憶を確認後、出力部から複数の信号を交互に出力する請求項１記載の遠隔制御装置。
【発明の詳細な説明】
【０００１】
【発明の属する技術分野】
本発明は、主として自動車のドアの解錠や施錠を行う遠隔制御装置に関するものである。
【０００２】
【従来の技術】
近年、自動車のドアの解錠や施錠を、キーを用いずに送信機を用いて遠隔操作する、所謂キーレスエントリー装置が普及しており、このような遠隔制御装置では、乗員が車外から送信機を操作すると、送信機から固有のＩＤコードが送信され、これを車両側に装着された受信機が受信して、受信機に予め記憶されていたＩＤコードと一致した場合に、車両のドアの解錠或いは施錠が行われる。
【０００３】
そして、以上のような遠隔制御装置においては、一般に、車両生産工程に備えられた第一の送信機と、各々異なる固有のＩＤコードが記憶された第二の送信機を用いて、第二の送信機と組合わされる受信機にＩＤコードを登録することが、車両生産工程で行われている。
【０００４】
このような従来の遠隔制御装置について、図３及び図４を用いて説明する。
【０００５】
図３は従来の遠隔制御装置の送信機のブロック図であり、同図において、１はコード化信号を送出するための送信スイッチ、２は送信機の動作を制御するマイクロコンピュータ（以下、マイコンと記載する）、３は所定のコードが記憶されたメモリ、４はマイコン２から出力されるコード化信号を変調し、送信アンテナ５を介して送信する送信部、６は電源としての電池である。
【０００６】
そして、車両生産工程に備えられた第一の送信機７のメモリ３には、一定の登録モード用コード３Ａが、受信機と組合わされる第二の送信機８のメモリ３には、固有のＩＤコード３Ｂが各々記憶されている。
【０００７】
また、図４は同じく受信機のブロック図であり、同図において、１１は受信アンテナ、１２は変調されたコード化信号を復調する受信部、１３はマイコン、１４はメモリで、マイコン１３には、受信したコードをメモリ１４に記憶された複数のコードと比較するコード比較部１３Ａと、ＩＤコードをメモリ１４に記憶させるＩＤコード登録部１３Ｂが設けられている。
【０００８】
そして、１５は出力部、１６はドアの解錠や施錠用のドアロックアクチュエータ等の制御部、１７は自動車の電池１８から各部に電源を供給する安定化電源回路部で、出力部１５がマイコン１３からの信号を受けて、制御部１６を制御するようにして受信機１９が構成されている。
【０００９】
なお、受信機１９のメモリ１４には、予め所定の送信機等によって、第一の送信機７のメモリ３に記憶された一定の登録モード用コード３Ａが記憶されている。
【００１０】
以上の構成において、車両生産工程での、固有の第二の送信機８と組合わされる受信機１９へのＩＤコードの登録について説明すると、先ず、車両生産工程に備えられた第一の送信機７から、送信スイッチ１を操作してメモリ３に記憶された登録モード用コード３Ａを受信機１９へ送信する。
【００１１】
そして、この信号を受信機１９が受信アンテナ１１を介して受信部１２で受信復調した後、マイコン１３のコード比較部１３Ａが、メモリ１４に記憶した登録モード用コード３Ａと比較して、受信した信号がこれと一致しているか否かを識別し、一致している場合にはＩＤコード登録部１３Ｂが登録モードとなる。
【００１２】
但し、受信機１９のメモリ１４に登録モード用コード３Ａが記憶されていない場合や、それが異なるコードである場合には、ＩＤコード登録部１３Ｂが登録モードとならないため、以下のＩＤコードの登録は行われない。
【００１３】
そして、ＩＤコード登録部１３Ｂが登録モードとなった場合には、この受信機１９と組合わされる第二の送信機８を操作すると、メモリ３に記憶された固有のＩＤコード３Ｂが送信され、これを受信部１２が受信してＩＤコード登録部１３Ｂが、メモリ１４に記憶した登録モード用コード３Ａを消去し、メモリ１４にＩＤコード３Ｂを置換登録する。
【００１４】
なお、ここで登録モード用コード３Ａを消去し、メモリ１４にＩＤコード３Ｂを置換登録する理由は、登録モード用コード３Ａがメモリ１４に記憶されたままだと、このような遠隔制御装置を搭載した車両に対して、何らかの送信機によって、もし登録モード用コード３Ａと同じ信号が送信された場合、受信機１９がその次に受信したＩＤコード３Ｂとは異なる信号をＩＤコードとして記憶して、誤操作等が生じることを防止するためである。
【００１５】
以上のようにして、固有の第二の送信機８と組合わされる受信機１９へのＩＤコードの登録が終了し、この固有のＩＤコード３Ｂを記憶した受信機１９は、車両に組込まれ、自動車の電池１８やドアの解錠や施錠を行う制御部１６に接続されると共に、これに用いられた固有の第二の送信機８はこの車両に付帯されて、市場に出荷される。
【００１６】
そして、乗員が車外からこの第二の送信機８を操作すると、固有のＩＤコード３Ｂが送信され、これを車両側に装着された受信機１９が受信して、メモリ１４に記憶されたＩＤコード３Ｂと一致した場合には、出力部１５から制御部１６へ所定の信号が出力され、制御部１６が動作して車両のドアの解錠或いは施錠が行われるものであった。
【００１７】
【発明が解決しようとする課題】
しかしながら上記従来の遠隔制御装置においては、受信機１９のメモリ１４に登録モード用コード３Ａが記憶されていない場合や、それが異なるコードであった場合、第二の送信機８からＩＤコード３Ｂを送信しても登録が行われないが、この確認は上記車両生産工程の途中ではできず、別途、第二の送信機８から固有のＩＤコードを送信して、制御部１６の動作を確認しなければならないため、作業にロスが多く時間を要するという課題があった。
【００１８】
本発明は、このような従来の課題を解決するものであり、受信機に登録モード用コードが記憶されているかどうかが容易に確認でき、ロスの少ない作業が可能な遠隔制御装置を提供することを目的とする。
【００１９】
【課題を解決するための手段】
上記目的を達成するために本発明は、以下の構成を有するものである。
【００２０】
本発明の請求項１に記載の発明は、登録モード用コードを送信する第一の送信機と、固有のＩＤコードを送信する第二の送信機と、第一の送信機からの信号を受信して、記憶された登録モード用コードと比較識別して一致した場合に、第二の送信機からの信号を受信して、記憶された登録モード用コードを固有のＩＤコードに置換登録する受信機を備えた遠隔制御装置であって、登録モード確認用コードを送信する第三の送信機を備え、上記第一の送信機からの登録モード用コードの送信前に、受信機が第三の送信機からの登録モード確認用コードを受信した時、登録モード用コードの記憶を確認して、出力部から所定の信号を出力するようにして遠隔制御装置を構成したものであり、第三の送信機によって、車両生産工程内で登録モード用コードの記憶の確認ができるため、別途確認のための作業が不要となり、ロスが少なく容易な作業が可能な遠隔制御装置を得ることができるという作用を有する。
【００２１】
請求項２に記載の発明は、請求項１記載の発明において、受信機の出力部から複数の信号を交互に出力するものであり、この信号によって例えば、車両のドアの解錠と施錠を数回繰返したり、ランプを数回点滅させる等、受信機への登録モード用コードの記憶の確認が、判り易く容易なものとなるという作用を有する。
【００２２】
【発明の実施の形態】
以下、本発明の実施の形態について、図１及び図２を用いて説明する。
【００２３】
なお、従来の技術の項で説明した構成と同一構成の部分には同一符号を付して、詳細な説明を省略する。
【００２４】
（実施の形態１）
図１は本発明の一実施の形態による遠隔制御装置の送信機のブロック図であり、同図において、１はコード化信号を送出するための送信スイッチ、２は送信機の動作を制御するマイコン、３は所定のコードが記憶されたメモリ、４はマイコン２から出力されるコード化信号を変調し、送信アンテナ５を介して送信する送信部、６は電源としての電池である。
【００２５】
そして、車両生産工程に備えられた第一の送信機７のメモリ３には、一定の登録モード用コード３Ａが記憶され、受信機と組合わされる第二の送信機８のメモリ３には、固有のＩＤコード３Ｂが記憶されていることは、従来の技術の場合と同様であるが、これらに加え、登録モード確認用コード３Ｃが記憶された第三の送信機２０が設けられている。
【００２６】
また、図２は同じく受信機のブロック図であり、同図において、１１は受信アンテナ、１２は変調されたコード化信号を復調する受信部、２３はマイコン、１４はメモリで、マイコン２３には、受信したコードをメモリ１４に記憶された複数のコードと比較するコード比較部１３Ａと、ＩＤコードをメモリ１４に記憶させるＩＤコード登録部１３Ｂに加え、確認用コード比較部１３Ｃが設けられている。
【００２７】
そして、１５は出力部、１６はドアの解錠や施錠用のドアロックアクチュエータ等の制御部、１７は自動車の電池１８から各部に電源を供給する安定化電源回路部で、出力部１５がマイコン２３からの信号を受けて、制御部１６を制御するようにして受信機２１が構成されている。
【００２８】
なお、受信機２１のメモリ１４に、予め所定の送信機等によって、第一の送信機７のメモリ３に記憶された、一定の登録モード用コード３Ａが記憶されていることは、従来の技術の場合と同様である。
【００２９】
以上の構成において、車両生産工程での、固有の第二の送信機８と組合わされる受信機２１へのＩＤコードの登録について説明すると、先ず、第三の送信機２０を用いて、受信機２１のメモリ１４に登録モード用コード３Ａが記憶されているか否かの確認を行う。
【００３０】
つまり、第三の送信機２０から、送信スイッチ１を操作してメモリ３に記憶された登録モード確認用コード３Ｃを受信機２１へ送信する。
【００３１】
次に、この信号を受信機２１が受信アンテナ１１を介して受信部１２で受信復調した後、マイコン２３の確認用コード比較部１３Ｃが、受信した信号が登録モード確認用コード３Ｃであるかを確認すると共に、メモリ１４に登録モード用コード３Ａが記憶されているか否かを確認する。
【００３２】
そして、メモリ１４に登録モード用コード３Ａが記憶されている場合には、確認用コード比較部１３Ｃが、出力部１５から所定の信号を出力させ、この信号によって、メモリ１４に登録モード用コード３Ａが記憶されているか否かの確認が行われる。
【００３３】
この後、車両生産工程に備えられた第一の送信機７から、メモリ３に記憶された登録モード用コード３Ａを受信機２１へ送信し、この信号をマイコン２３のコード比較部１３Ａが、メモリ１４に記憶した登録モード用コード３Ａと比較して、受信した信号がこれと一致しているか否かを識別し、一致している場合にはＩＤコード登録部１３Ｂが登録モードとなることは、従来の技術の場合と同様である。
【００３４】
また、ＩＤコード登録部１３Ｂが登録モードとなった場合に、この受信機２１と組合わされる第二の送信機８を操作すると、メモリ３に記憶された固有のＩＤコード３Ｂが送信され、これを受信部１２が受信してＩＤコード登録部１３Ｂが、メモリ１４に記憶した登録モード用コード３Ａを消去し、メモリ１４にＩＤコード３Ｂを置換登録することも従来の技術の場合と同様である。
【００３５】
以上のようにして、固有の第二の送信機８と組合わされる受信機２１へのＩＤコードの登録が終了し、この固有のＩＤコード３Ｂを記憶した受信機２１は、車両に組込まれ、自動車の電池１８やドアの解錠や施錠を行う制御部１６に接続されると共に、これに用いられた固有の第二の送信機８はこの車両に付帯されて、市場に出荷される。
【００３６】
そして、乗員が車外からこの第二の送信機８を操作すると、固有のＩＤコード３Ｂが送信され、これを車両側に装着された受信機２１が受信して、メモリ１４に記憶されたＩＤコード３Ｂと一致した場合には、出力部１５から制御部１６へ所定の信号が出力され、制御部１６が動作して車両のドアの解錠或いは施錠が行われる。
【００３７】
このように本実施の形態によれば、第一の送信機７と第二の送信機８に加え、登録モード確認用コード３Ｃを送信する第三の送信機２０を設けると共に、受信機２１がこの登録モード確認用コード３Ｃを受信した時、登録モード用コード３Ａの記憶を確認して、出力部１５から所定の信号を出力するようにして遠隔制御装置を構成することによって、車両生産工程内で登録モード用コード３Ａの記憶の確認ができるため、別途確認のための作業が不要となり、ロスが少なく容易な作業が可能な遠隔制御装置を得ることができるものである。
【００３８】
また、受信機２１の出力部１５から複数の信号を交互に出力することによって、この信号により例えば、車両のドアの解錠と施錠を数回繰り返したり、ルームランプやハザードランプ等のランプを数回点滅させる等、受信機への登録モード用コードの記憶の確認が、さらに判り易く容易なものとなる。
【００３９】
【発明の効果】
以上のように本発明によれば、車両生産工程内で登録モード用コードの記憶の確認ができ、ロスが少なく容易な作業が可能な遠隔制御装置を得ることができるという有利な効果が得られる。
【図面の簡単な説明】
【図１】本発明の一実施の形態による遠隔制御装置の送信機のブロック図
【図２】同受信機のブロック図
【図３】従来の遠隔制御装置の送信機のブロック図
【図４】同受信機のブロック図
【符号の説明】
１  送信スイッチ
２  マイコン
３  メモリ
３Ａ  登録モード用コード
３Ｂ  ＩＤコード
３Ｃ  登録モード確認用コード
４  送信部
５  送信アンテナ
６，１８  電池
７  第一の送信機
８  第二の送信機
１１  受信アンテナ
１２  受信部
１３Ａ  コード比較部
１３Ｂ  ＩＤコード登録部
１３Ｃ  確認用コード比較部
１４  メモリ
１５  出力部
１６  制御部
１７  安定化電源回路部
２０  第三の送信機
２１  受信機
２３  マイコン
【図１】
0003918451.tif 000002
【図２】
0003918451.tif 000003
【図３】
0003918451.tif 000004
【図４】
0003918451.tif 000005